(57)【要約】【課題】被験者の血圧に関連する情報を表示画面に表示する血圧関連情報表示装置であって、医師が各種の血圧評価項目の中から被験者に伝えるべき血圧評価項目を容易かつ迅速に選択できるものを提供すること。【解決手段】表示画面の一部５２に、複数種類の血圧評価項目を示す血圧評価項目リスト表示欄７１と血圧評価項目のそれぞれについての良否を示す良否表示欄７２とを画像として表示する。血圧評価項目リスト表示欄７１は、表頭部７１ｂと表体部７１ａとを有している。表体部７１ａには、血圧評価項目がリスト形式で全て一覧できるように表示されるとともに、複数種類の血圧評価項目のうち、いずれか１つの上記血圧評価項目を選択できるようになっている。良否表示欄７２は、表体部７１ａの左側に設けられ、対応する各血圧評価項目の左側に並んで、血圧評価結果の良否を示すアイコンマーク７２ａ，７２ｂが表示されている。【選択図】図１１
2013192608.tif 000002
【特許請求の範囲】
【請求項１】
被験者の血圧に関連する情報を表示画面に表示する血圧関連情報表示装置であって、
上記被験者の血圧データを取得する血圧データ取得部と、
上記被験者の血圧の状態を評価するための予め定められた血圧評価項目について、或る期間にわたって日ごとに測定された上記血圧データに統計処理を施して、血圧評価結果を演算する評価結果演算部と、
上記表示画面上に、上記血圧評価項目を一覧可能に示す血圧評価項目リストを表示するとともに、演算された上記血圧評価結果を上記血圧評価項目リスト中の上記血圧評価項目に対応して表示する制御を行う表示制御部と
を備えることを特徴とする血圧関連情報表示装置。
【請求項２】
請求項１に記載の血圧関連情報表示装置において、
上記血圧評価結果は、対応する上記血圧評価項目についての良否を示し、上記血圧評価項目リスト中の上記血圧評価項目に対して並べて表示されることを特徴とする血圧関連情報表示装置。
【請求項３】
請求項２に記載の血圧関連情報表示装置において、
上記血圧評価結果は、互いに色または形状で識別可能なマークで表示されることを特徴とする血圧関連情報表示装置。
【請求項４】
請求項２に記載の血圧関連情報表示装置において、
上記良否についてのコメントを記憶するコメント記憶部と、
上記血圧評価項目リストから上記良否が示された上記血圧評価項目を選択する項目選択部と、
選択された上記血圧評価項目について、上記コメント記憶部を参照して上記良否についてのコメントを上記表示画面上に表示する制御を行うコメント表示制御部と
を備えることを特徴とする血圧関連情報表示装置。
【請求項５】
請求項４に記載の血圧関連情報表示装置において、
上記コメント記憶部は、上記コメントを上記良否の内容に応じて記憶することを特徴とする血圧関連情報表示装置。
【請求項６】
被験者の血圧に関連する情報を表示画面に表示する方法をコンピュータに実行させるためのプログラムであって、
上記方法は、
上記被験者の血圧データを取得する第１ステップと、
上記被験者の血圧の状態を評価するための予め定められた血圧評価項目について、或る期間にわたって日ごとに測定され、上記第１ステップによって取得された上記血圧データに統計処理を施して、血圧評価結果を演算する第２ステップと、
上記表示画面上に、上記血圧評価項目を一覧可能に示す血圧評価項目リストを表示するとともに、表示された上記血圧評価項目リスト中の上記血圧評価項目に対応して演算された上記血圧評価結果を表示する第３ステップと
を有することを特徴とするプログラム。
【発明の詳細な説明】
【技術分野】
【０００１】
この発明は、被験者の血圧に関連する情報を表示画面に表示する血圧関連情報表示装置に関する。
【０００２】
また、この発明は、被験者の血圧に関連する情報を表示画面に表示する方法をコンピュータに実行させるためのプログラムに関する。
【背景技術】
【０００３】
従来、被験者の血圧に関連する情報を表示する装置としては、特許文献１（特開２００３−２８８４１７号公報）に開示されているように、生体情報を入力する入力手段と、上記生体情報に基づく健康管理の目標値を設定する設定手段と、上記生体情報を履歴データとして記録するメモリ手段とを備え、継続的に健康管理の評価をする健康管理装置が知られている。
【０００４】
また、生体情報を、通信や手入力によってパーソナルコンピュータに取り込み、被験者の健康管理をサポートするデータ記録プログラムも知られている。
【０００５】
また、特許文献２（特開２００３−２１６７３６号公報）に開示されているように、健康診断検査結果を入力すると、所見を付け加えるべき検査項目が、予め入力されていた所見基準に基づいて特定されるとともにディスプレイ上に表示される健康指導支援システムが知られている。
【０００６】
これらの方式（上記装置や上記プログラム等）によれば、血圧値等の生体情報に基づいて、被験者に対する健康指導が支援される。
【先行技術文献】
【特許文献】
【０００７】
【特許文献１】特開２００３−２８８４１７号公報
【特許文献２】特開２００３−２１６７３６号公報
【発明の概要】
【発明が解決しようとする課題】
【０００８】
しかしながら、上記従来の方式では、或る期間にわたって測定された生体情報について、その測定頻度や測定値の平均値等を算出できるだけある。このため、より詳しい生体情報の評価が困難で、被験者に対して十分な健康指導を行うことができず、被験者の診察満足度があまり高くないという問題がある。また、生体情報の各種の評価項目について詳しく評価結果を取得できたとしても、様々な被験者について全ての評価結果を医師が把握するのは困難である。このため、医師は、被験者に対して健康指導をする際、限られた診療時間内で被験者に伝えるべき評価項目を容易かつ迅速に選択できず、被験者と有効なコミュニケーションを取れないという問題がある。
【０００９】
そこで、この発明の課題は、被験者の血圧に関連する情報を表示画面に表示する血圧関連情報表示装置であって、医師が各種の血圧評価項目の中から被験者に伝えるべき血圧評価項目を容易かつ迅速に選択できて、被験者と有効なコミュニケーションを取ることができるとともに、被験者の診察満足度を上げることができるものを提供することにある。
【００１０】
また、この発明の課題は、被験者の血圧に関連する情報を表示画面に表示する方法をコンピュータに実行させるためのプログラムであって、医師が各種の血圧評価項目の中から被験者に伝えるべき血圧評価項目を容易かつ迅速に選択できて、被験者と有効なコミュニケーションを取ることができるとともに、被験者の診察満足度を上げることができるものを提供することにある。
【課題を解決するための手段】
【００１１】
上記課題を解決するため、この発明の血圧関連情報表示装置は、
被験者の血圧に関連する情報を表示画面に表示する血圧関連情報表示装置であって、
上記被験者の血圧データを取得する血圧データ取得部と、
上記被験者の血圧の状態を評価するための予め定められた血圧評価項目について、或る期間にわたって日ごとに測定された上記血圧データに統計処理を施して、血圧評価結果を演算する評価結果演算部と、
上記表示画面上に、上記血圧評価項目を一覧可能に示す血圧評価項目リストを表示するとともに、演算された上記血圧評価結果を上記血圧評価項目リスト中の上記血圧評価項目に対応して表示する制御を行う表示制御部と
を備えることを特徴とする。
【００１２】
本明細書で、「血圧データ」とは、最高血圧である収縮期血圧（ＳＢＰ（Systolic Blood Pressure））、最低血圧である拡張期血圧（ＤＢＰ（Diastolic Blood Pressure））および脈拍数などを広く指す。
【００１３】
また、「血圧評価結果」とは、上記血圧データについての評価結果を表す。
【００１４】
この発明の血圧関連情報表示装置では、まず、血圧データ取得部は、被験者（典型的には、患者を指す。以下同様。）の血圧データを取得する。評価結果演算部は、上記被験者の血圧の状態を評価するための予め定められた血圧評価項目について、或る期間にわたって日ごとに測定された上記血圧データに統計処理を施して、血圧評価結果を演算する。表示制御部は、上記表示画面上に、上記血圧評価項目を一覧可能に示す血圧評価項目リストを表示する。これとともに、表示制御部は、表示された上記血圧評価項目リスト中の上記血圧評価項目に対応して演算された上記血圧評価結果を表示する制御を行う。
【００１５】
このように動作する場合、この血圧関連情報表示装置によれば、例えば医師は、上記表示画面上で、血圧評価結果が対応して表示された上記血圧評価項目を上記血圧評価項目リストにより一覧できる。したがって、上記医師は、上記血圧評価項目リストを参照して、上記血圧評価項目の中から、被験者と有効にコミュニケーションを取れる評価項目を短時間で選択できて、被験者の診察満足度を上げるとともに、診察時間を短縮できる。
【００１６】
一実施形態の血圧関連情報表示装置では、上記血圧評価結果は、対応する上記血圧評価項目についての良否を示し、上記血圧評価項目リスト中の上記血圧評価項目に対して並べて表示されることを特徴とする。
【００１７】
この一実施形態の血圧関連情報表示装置では、上記血圧評価結果は、対応する上記血圧評価項目についての良否を示し、上記血圧評価項目リスト中の上記血圧評価項目に対して並べて表示される。したがって、医師は、上記表示画面上で上記血圧評価項目についての良否を参照して、上記血圧評価項目リストの中から被験者と有効にコミュニケーションを取れる評価項目をより短時間に選択できる。
【００１８】
一実施形態の血圧関連情報表示装置では、上記血圧評価結果は、互いに色または形状で識別可能なマークで表示されることを特徴とする。
【００１９】
この一実施形態の血圧関連情報表示装置では、上記血圧評価結果は、互いに色または形状で識別可能なマークで表示される。したがって、医師は、上記表示画面上で上記血圧評価項目リストを参照して、上記血圧評価項目の中から被験者と有効にコミュニケーションを取れる評価項目をより短時間で確実に選択できる。
【００２０】
一実施形態の血圧関連情報表示装置では、
上記良否についてのコメントを記憶するコメント記憶部と、
上記血圧評価項目リストから上記良否が示された上記血圧評価項目を選択する項目選択部と、
選択された上記血圧評価項目について、上記コメント記憶部を参照して上記良否についてのコメントを上記表示画面上に表示する制御を行うコメント表示制御部と
を備えることを特徴とする。
【００２１】
この一実施形態の血圧関連情報表示装置では、上記表示画面上に、選択された上記血圧評価項目について、上記良否についてのコメントを表示する。このため、医師は、上記表示画面上で、上記良否が示された上記血圧評価項目について、上記良否に加えて、上記良否についてのコメントも参照できる。したがって、上記医師は、被験者と有効にコミュニケーションを取れて、被験者の診察満足度をより上げるとともに、診察時間をより短縮できる。
【００２２】
一実施形態の血圧関連情報表示装置では、上記コメント記憶部は、上記コメントを上記良否の内容に応じて記憶することを特徴とする。
【００２３】
この一実施形態の血圧関連情報表示装置では、上記コメントが上記良否の内容に応じて記憶されているので、医師は、上記表示画面上で、上記良否の内容に応じたコメントを参照できる。したがって、上記医師は、被験者と有効にコミュニケーションを取れて、被験者の診察満足度をより上げるとともに、診察時間をより短縮できる。
【００２４】
この発明のプログラムは、
被験者の血圧に関連する情報を表示画面に表示する方法をコンピュータに実行させるためのプログラムであって、
上記方法は、
上記被測定者の血圧データを取得する第１ステップと、
上記被測定者の血圧の状態を評価するための予め定められた血圧評価項目について、或る期間にわたって日ごとに測定され、上記第１ステップによって取得された上記血圧データに統計処理を施して、血圧評価結果を演算する第２ステップと、
上記表示画面上に、上記血圧評価項目を一覧可能に示す血圧評価項目リストを表示するとともに、表示された上記血圧評価項目リスト中の上記血圧評価項目に対応して演算された上記血圧評価結果を表示する第３ステップと
を有することを特徴とする。
【００２５】
この発明のプログラムによれば、次のように、被験者の血圧に関連する情報を表示画面に表示する方法をコンピュータに実行させることができる。
すなわち、第１ステップでは、被験者の血圧データを取得する。
第２ステップでは、上記被験者の血圧の状態を評価するための予め定められた血圧評価項目について、或る期間にわたって日ごとに測定され、上記第１ステップによって取得された上記血圧データに統計処理を施して、血圧評価結果を演算する。
第３ステップでは、上記表示画面上に、上記血圧評価項目を一覧可能に示す血圧評価項目リストを表示するとともに、表示された上記血圧評価項目リスト中の上記血圧評価項目に対応して演算された上記血圧評価結果を表示する。
【００２６】
このような方法をコンピュータに実行させる場合、例えば医師は、上記表示画面上で、血圧評価結果が対応して表示された上記血圧評価項目を上記血圧評価項目リストにより一覧できる。したがって、上記医師は、上記血圧評価項目リストを参照して、上記血圧評価項目の中から、被験者と有効にコミュニケーションを取れる血圧評価項目を短時間で選択できて、被験者の診察満足度を上げるとともに、診察時間を短縮できる。
【発明の効果】
【００２７】
以上より明らかなように、この発明の血圧関連情報表示装置およびプログラムによれば、医師が各種の血圧評価項目の中から被験者に伝えるべき血圧評価項目を容易かつ迅速に選択できて、被験者と有効なコミュニケーションを取ることができるとともに、被験者の診察満足度を上げることができる。
【図面の簡単な説明】
【００２８】
【図１】この発明の血圧関連情報表示装置をネットワーク上のシステムとして構成した一実施形態を示すブロック図である。
【図２】上記システムに含まれた病院端末の構成を示すブロック図である。
【図３】上記システムに含まれたサーバの構成を示すブロック図である。
【図４】上記システムに含まれた血圧計の構成を示すブロック図である。
【図５】上記サーバの概略的な動作フローを示す図である。
【図６】初回の診察における代表値からの今回の診察における代表値の変化値を説明する図である。
【図７Ａ】朝に測定された血圧の代表値についての判定値と判定区分の対応を説明する図である。
【図７Ｂ】晩に測定された血圧の代表値についての判定値と判定区分の対応を説明する図である。
【図８】上記判定区分とコメントおよび良否との対応を示す図である。
【図９】上記病院端末の概略的な動作フローを示す図である。
【図１０】上記病院端末の表示画面上に、今回の診察日から遡って６０日間にわたって朝および晩に測定された最高血圧値および最低血圧値の推移が画像として表示された例を示す図である。
【図１１】上記病院端末の表示画面上に、血圧評価項目リストが画像として表示された例を示す図である。
【図１２】上記病院端末の表示画面上に、初回からの血圧レベルの変化についてのグラフおよびコメントが画像として表示された例を示す図である。
【図１３】上記病院端末に上記サーバの機能を組み込んだときの、上記病院端末の概略的な動作フローを示す図である。
【発明を実施するための形態】
【００２９】
以下、この発明の実施の形態を、図面を参照しながら詳細に説明する。
【００３０】
図１は、この発明の血圧関連情報表示装置をネットワーク上の一実施形態のシステム（全体を符号１００で示す。）として構成した例を示している。このシステム１００は、表示画面としての表示部２４０を有する病院端末２００と、サーバ３００と、血圧計４００とを含んでいる。病院端末２００とサーバ３００と血圧計４００とは、ネットワーク９００を介して互いに通信可能になっている。
【００３１】
図２に示すように、病院端末２００は、本体２００Ｍと、この本体２００Ｍに搭載された、制御部２１０と、メモリ２２０と、操作部２３０と、表示画面としての表示部２４０と、通信部２９０とを含む。この病院端末２００は、市販のノート型パーソナルコンピュータからなり、後述の処理を行わせるようにアプリケーションソフトウェア（コンピュータプログラム）をインストールしたものであり、サーバ３００にアクセスできるようになっている。
【００３２】
制御部２１０は、ＣＰＵ（Central Processing Unit；中央演算処理装置）およびその補助回路を含み、病院端末２００の各部を制御し、メモリ２２０に記憶されたプログラムおよびデータに従って後述の処理を実行する。すなわち、操作部２３０、および、通信部２９０から入力されたデータを処理し、処理したデータを、メモリ２２０に記憶させたり、表示部２４０で表示させたり、通信部２９０から出力させたりする。
【００３３】
メモリ２２０は、制御部２１０でプログラムを実行するために必要な作業領域として用いられるＲＡＭ（Random Access Memory）と、制御部２１０で実行するための基本的なプログラムを記憶するためのＲＯＭ（Read Only Memory）とを含む。また、メモリ２２０の記憶領域を補助するための補助記憶装置の記憶媒体として、半導体メモリ（メモリカード、ＳＳＤ（Solid State Drive））などが用いられてもよい。
【００３４】
操作部２３０は、この例では、キーボードおよびマウスで構成され、ユーザによる操作を示す操作信号を制御部３１０に入力する。また、操作部３３０は、キーボードおよびマウスに替えて、または、加えて、タッチパネルなどの他の操作デバイスで構成されるようにしてもよい。
【００３５】
表示部２４０は、表示画面（例えば、ＬＣＤ（Liquid Crystal Display）またはＥＬ（Electroluminescence）ディスプレイなど）を含む。表示部２４０は、制御部２１０によって制御されて、所定の映像を表示画面に表示させる。
【００３６】
通信部２９０は、制御部２１０からの情報をネットワーク９００を介してサーバ３００へ送信する。
【００３７】
図３に示すように、サーバ３００は、制御部３１０と、記憶部３２０と、操作部３３０と、表示部３４０と、ネットワーク通信部３９０とを含む。このサーバ３００は、汎用のコンピュータ装置に、後述の処理を行わせるようにプログラム（ソフトウェア）をインストールしたものである。
【００３８】
制御部３１０は、ＣＰＵおよびその補助回路を含み、サーバ３００の各部を制御し、記憶部３２０に記憶されたプログラムおよびデータに従って所定の処理を実行し、操作部３３０、および、通信部３９０から入力されたデータを処理し、処理したデータを、記憶部３２０に記憶させたり、表示部３４０で表示させたり、通信部３９０から出力させたりする。
【００３９】
記憶部３２０は、制御部３１０でプログラムを実行するために必要な作業領域として用いられるＲＡＭと、制御部３１０で実行するための基本的なプログラムを記憶するためのＲＯＭとを含む。記憶部３２０には、多くのユーザから送られてきた血圧測定データを含むデータベース３２１が設けられている。また、記憶部３２０の記憶領域を補助するための補助記憶装置の記憶媒体として、磁気ディスク（ＨＤ（Hard Disk）、ＦＤ（Flexible Disk））、光ディスク（ＣＤ（Compact Disc）、ＤＶＤ（Digital Versatile Disk）、ＢＤ（Blu-ray Disc））、光磁気ディスク（ＭＯ（Magneto-Optical disk））、または、半導体メモリ（メモリカード、ＳＳＤ）などが用いられてもよい。
【００４０】
操作部３３０は、この例では、キーボードおよびマウスで構成され、ユーザによる操作を示す操作信号を制御部３１０に入力する。また、操作部３３０は、キーボードおよびマウスに替えて、または、加えて、タッチパネルなどの他の操作デバイスで構成されるようにしてもよい。
【００４１】
表示部３４０は、表示画面（例えば、ＬＣＤまたはＥＬディスプレイなど）を含む。表示部３４０は、制御部３１０によって制御されて、所定の映像をディスプレイに表示させる。
【００４２】
ネットワーク通信部３９０は、制御部３１０からの情報をネットワーク９００を介して他の装置（この例では病院端末２００）へ送信するとともに、他の装置からネットワーク９００を介して送信されてきた情報を受信して制御部３１０に受け渡す。
【００４３】
図４に示すように、血圧計４００は、ケーシング４００Ｍと、このケーシング４００Ｍに搭載された、制御部４１０と、メモリ４２０と、操作部４３０と、表示部４４０と、血圧データ取得部としての測定部４５０と、通信部４９０とを含む。
【００４４】
操作部４３０は、操作ボタン・操作キーなどの操作デバイス（図示せず）が操作者によって操作されたことに応じて、操作された内容に応じた操作信号を制御部４１０に入力する。
【００４５】
測定部４５０は、血圧を測定するためのカフ４５１と血圧測定部４５４とを含み、患者から最高血圧（ＳＢＰ）、最低血圧（ＤＢＰ）、脈拍数の測定値を取得する。
【００４６】
メモリ４２０は、血圧計４００を制御するためのプログラムのデータ、血圧計４００の各種機能を設定するための設定データ、および、測定結果のデータなどを記憶する。また、メモリ４２０は、プログラムが実行されるときのワークメモリなどとして用いられる。
【００４７】
制御部４１０は、ＣＰＵを含み、メモリ４２０に記憶された血圧計４００を制御するためのプログラムに従って、操作部４３０からの操作信号に応じて、測定部４５０からの検知信号に基づいて、メモリ４２０、表示部４４０、および、通信部４９０を制御する。
【００４８】
表示部４４０は、ディスプレイおよびインジケータ等を含み、制御部４１０からの制御信号に従って所定の情報を表示する。
【００４９】
通信部４９０は、制御部４１０によって制御されて所定の情報を、ネットワーク９００を介して外部の装置に送信したり、外部の装置からの情報を、ネットワーク９００を介して受信して制御部４１０に受け渡したりする。このネットワーク９００を介した通信は、無線、有線のいずれでも良い。この実施の形態において、ネットワーク９００は、インターネットであるが、これに限定されず、病院内ＬＡＮ（Local Area Network）のような他の種類のネットワークであってもよいし、ＵＳＢケーブルなどを用いた１対１の通信であってもよい。
【００５０】
このシステム１００は、次のように用いられる。
【００５１】
ｉ）  被験者は、血圧計４００を用いて、或る期間にわたって日ごとに朝と晩と、それぞれ自己の血圧を例えば自宅で測定する。測定が終わると、血圧計４００は、測定された血圧データをその測定日時とともにネットワーク９００を介してサーバ３００に送信する。
【００５２】
ｉｉ）  サーバ３００は、サーバ３００の動作状態で、血圧計４００から上記血圧データを受信すると、受信した血圧データをその測定日時とともに記憶部３２０に記憶する。
【００５３】
ｉｉｉ）  病院端末２００の制御部２１０は、病院端末２００の動作状態で、医師が病院端末２００の操作部２３０を操作して、「血圧評価表示」を選択すると、サーバ３００に対して血圧評価結果の取得要求とともに今回の診察日を示す日付データを送信する。
【００５４】
ｉｖ）  サーバ３００の制御部３１０は、図５のステップＳ１０１に示すように、サーバ３００の動作状態で、ネットワーク９００を介して病院端末２００から、上記日付データを含むデータが送られてくるのを待っている。制御部３１０は、ネットワーク９００から通信部３９０を介して、病院端末２００からの上記データを受信すると（ステップＳ１０１でＹＥＳ）、評価結果演算部として働いて、記憶されている上記血圧データを予め定められた血圧評価項目について統計処理をする（ステップＳ１０２）。
【００５５】
上記予め定められた血圧評価項目としては、例えば「血圧値の時間推移」、「週あたりの測定日数」、「曜日別測定頻度」、「朝晩平均・朝晩差の変化（ＳＢＰ）」、「頻脈・除脈の発生状況」、「初回からの血圧レベルの変化」、「血圧平均値（曜日別）」、「血圧分布の変化（ＳＢＰ）」および「血圧分布の変化（ＤＢＰ）」がある。
【００５６】
具体的には、「初回からの血圧レベルの変化」について統計処理をする場合（以下同様。）、制御部３１０は、今回の診察、前回の診察、前々回の診察、および初回の診察における代表値を朝、晩それぞれについて算出する。
【００５７】
すなわち、制御部３１０は、前回の診察から今回の診察までの期間（今回の診察期間）に測定された被験者の血圧値と、測定日数に基づいて、今回の診察期間における血圧値の平均を今回の診察の代表値として算出する。同様に、前々回の診察から前回の診察までの期間（前回の診察期間）における血圧値の平均を前回の診察の代表値として算出する。また、今回の診察から遡って３回目の診察から前々回の診察までの期間（前々回の診察期間）における血圧値の平均を前々回の診察の代表値として算出する。さらに、血圧計４００によって初めて測定されたときから第１回の診察までの期間（初回の診察期間）における血圧値の平均を初回の診察における代表値として算出する。
【００５８】
この例では、今回の診察における代表値（ＳＢＤとＤＢＰとの組をＳＢＰ／ＤＢＰと表す。以下同様。）は、朝、晩ともに１４５／７８ｍｍＨｇである。また、前回の診察における代表値は、朝が１６２／１０３ｍｍＨｇ、晩が１６２／１０２ｍｍＨｇであり、前々回の診察における代表値は、朝が１７７／１２２ｍｍＨｇ、晩が１７８／１２２ｍｍＨｇである。さらに、初回の診察における代表値は、朝、晩ともに１９０／１３５ｍｍＨｇである。なお、今回の診察期間における上記測定日数は、朝が５日、晩が１０日である。
【００５９】
次に、制御部３１０は、評価結果演算部として働いて、統計処理がされた血圧データから血圧評価結果を演算するための判定値を取得する（ステップＳ１０３）。
【００６０】
具体的には、上述の例では、制御部３１０は、朝、晩それぞれに関して、ＳＢＰ、ＤＢＰそれぞれについて、初回の診察における代表値からの今回の診察における代表値の変化値および今回の診察期間における血圧の測定日数を算出して、これを上記判定値として取得する。
【００６１】
すなわち、朝に関して、ＳＢＰ、ＤＢＰそれぞれについて、上記変化値をＳＢ１，ＤＢ１とし、上記測定日数をＤ１とすると、
ＳＢ１＝今回−初回（ＳＢＰ）＝１４５−１９０＝−４５＜０
ＤＢ１＝今回−初回（ＤＢＰ）＝７８−１３５＝−５７＜０
Ｄ１＝今回の診察期間における血圧の測定日数＝１０＞０
である。
【００６２】
一方、晩に関して、ＳＢＰ、ＤＢＰそれぞれについて、上記変化値をＳＢ２，ＤＢ２とし、上記測定日数をＤ２とすると、
ＳＢ２＝今回−初回（ＳＢＰ）＝１４５−１９０＝−４５＜０
ＤＢ２＝今回−初回（ＤＢＰ）＝７８−１３５＝−５７＜０
Ｄ２＝今回の診察期間における血圧の測定日数＝５＞０
である。
【００６３】
次に、制御部３１０は、評価結果演算部として働いて、取得した上記判定値に基づいて、上記血圧評価項目毎に、血圧評価結果としての良否を演算する（ステップＳ１０４）。
【００６４】
具体的には、上述の例では、制御部３１０は、上記判定値に基づいて、判定区分を示す図７Ａ，７Ｂから判定区分を取得する。すなわち、制御部３１０は、朝に関して上記判定値、つまり上記変化値ＳＢ１，ＤＢ１および上記測定日数Ｄ１に基づいて、図７Ａを参照して、判定区分”ａ”を取得する。また、晩に関して上記判定値、つまり上記変化値ＳＢ２，ＤＢ２および上記測定日数Ｄ２に基づいて、図７Ｂを参照して、判定区分”ａ”を取得する。
【００６５】
そして、制御部３１０は、取得した朝の判定区分”ａ”および晩の判定区分”ａ”に基づいて、上記判定区分とコメントおよび上記良否との対応を示す図８を参照して、”○”すなわち”良”という結果を得る。
【００６６】
次に、制御部３１０は、コメント作成部として働いて、取得した上記判定値に基づいて病院端末２００の表示部２４０に表示されるべきコメントを作成する（図５のステップＳ１０５）。
【００６７】
具体的には、上述の例では、制御部３１０は、上記判定値と、取得した判定区分に基づいて、対応するコメントを示す図８を参照して、”コメントＮｏ．”の”５−１”に対応したコメント、つまり「初回からの血圧の変化は朝−４５／−５７ｍｍＨｇ、晩−４５／−５７ｍｍＨｇです」というコメントを作成する。
【００６８】
なお、図８は、コメントＮｏ．欄４１と、朝の判定区分を示す判定区分欄４２と、晩の判定区分を示す判定区分欄４３と、コメントの内容を示すコメント欄４４と、良否の判断結果を示す良否欄４５とを含んでいる。朝の判定区分”ａ”，”ｂ”，”ｃ”，”ｄ”，”ｅ”と、晩の判定区分”ａ”，”ｂ”，”ｃ”，”ｄ”，”ｅ”との組み合わせによって、コメント欄４４から対応するコメントが選択され、良否欄４５から”○”（良）または”△”（否）が選択される。
【００６９】
次に、制御部３１０は、統計処理がなされた血圧データ、血圧評価結果、およびコメントに基づいて、病院端末２００の表示部２４０に表示されるべき画像データ（この画像データについては後述する。）を作成する（図５のステップＳ１０６）。
【００７０】
次に、制御部３１０は、全ての血圧評価項目について上記画像データおよび上記コメントの作成を完了すると（ステップＳ１０７でＹＥＳ）、作成された画像データをデータベース３２１に記憶する。それとともに、通信部３９０からネットワーク９００を介して、病院端末２００へ送信する（ステップＳ１０８）。
【００７１】
（ｖ）  病院端末２００は、図９のフローに示すように、上記画像データをネットワーク９００から通信部２９０を介して受信して（ステップＳ２０１）、メモリ２２０を画像データ記憶部およびコメント記憶部として働かせて記憶する。次に、病院端末２００の制御部２１０は、表示制御部として働いて、メモリ２２０に記憶されている画像データを表示部２４０の表示画面に表示する（ステップＳ２０２）。
【００７２】
この段階で表示部２４０の表示画面の一部５１に表示される画像は、例えば図１０に示すものである。図１０に示すように、被験者の血圧値の時間推移を示す血圧推移グラフ表示欄６１を画像として表示する。
【００７３】
上記血圧推移グラフ表示欄６１には、今回の診察日（この例では１２／１５（１２月１５日））から遡って約６０日間に対応する日ごとの被験者の血圧値を、横方向を時間（単位：日）、縦方向を血圧値（単位：ｍｍＨｇ）として折れ線グラフ６２ａ，６２ｂ，６３ａ，６３ｂが表示されている。
【００７４】
ここで、折れ線６２ａは、朝に測定されたＳＢＰを示し、折れ線６２ｂは、晩に測定されたＳＢＰを示している。また、折れ線６３ａは、朝に測定されたＤＢＰを示し、折れ線６３ｂは、晩に測定されたＤＢＰを示している。これらの折れ線グラフ６２ａ，６２ｂ，６３ａ，６３ｂは、既述の統計処理（特に、図５のステップＳ１０２）によって作成されたものである。これにより、上記医師は、表示部２４０により、今回の診察日（１２／１５）から遡って約６０日間における上記被験者の血圧値の時間推移を直感的に把握できる。
【００７５】
また、上記血圧推移グラフ表示欄６１は、横方向に一直線で延びる破線６５，６６を含んでいる。破線６５は、ＳＢＰについて上記被験者もしくは担当医師が設定した目標値である１４０ｍｍＨｇを示す一方、破線６６は、ＤＢＰについて上記被験者もしくは担当医師が設定した目標値である９０ｍｍＨｇを示している。したがって、折れ線グラフ６２ａ，６２ｂ，６３ａ，６３ｂをこの破線６５，６６と比較することで、上記医師は、上記被験者の血圧値が上記設定した目標値を達成できているか否かを一見して把握できる。
【００７６】
また、この段階で表示部２４０の表示画面の一部５２に表示される画像は、例えば図１１に示すものである。図１１に示すように、複数種類の上記血圧評価項目を示す血圧評価項目リスト表示欄７１と上記血圧評価項目のそれぞれについての良否を示す良否表示欄７２とを画像として表示する。
【００７７】
上記血圧評価項目リスト表示欄７１は、上から順に、表頭部７１ｂと表体部７１ａとを有している。
【００７８】
上記表体部７１ａには、上記血圧評価項目がリスト形式で全て一覧できるように表示されている。すなわち、上から下へ順に、上記血圧評価項目として「週あたりの測定日数」、「曜日別測定頻度」、「朝晩平均・朝晩差の変化（ＳＢＰ）」、「頻脈・除脈の発生状況」、「初回からの血圧レベルの変化」、「血圧平均値（曜日別）」、「血圧分布の変化（ＳＢＰ）」および「血圧分布の変化（ＤＢＰ）」が表示されている。
【００７９】
また、上記表体部７１ａは、複数種類の上記血圧評価項目のうち、いずれか１つの上記血圧評価項目を選択できるようになっている。
【００８０】
上記表頭部７１ｂには、表体部７１ａで選択された血圧評価項目７３が表示され（この例では、「初回からの血圧レベルの変化」が上記表体部７１ａで選択され、表示されている。）、この選択された血圧評価項目７３をさらに選択できるようになっている。
【００８１】
上記良否表示欄７２は、表体部７１ａの左側に設けられ、対応する上記各血圧評価項目の左側に並んで、上記血圧評価結果の良否を示すアイコンマーク７２ａ，７２ｂが表示されている。アイコンマーク７２ａは、丸形状であり、上記血圧評価結果が「良」であることを示している。一方、アイコンマーク７２ｂは、三角形状であり、上記血圧評価結果が「否」であることを示している。この例では、上記血圧評価項目のうち「曜日別測定頻度」、「朝晩平均・朝晩差の変化（ＳＢＰ）」、「初回からの血圧レベルの変化」および「血圧分布の変化（ＳＢＰ）」についてアイコンマーク７２ａが表示されている。また、上記血圧評価項目のうち「頻脈・除脈の発生状況」および「血圧平均値（曜日別）」についてアイコンマーク７２ｂが表示されている。
【００８２】
このように、医師は、表示画面の一部５２上でアイコンマーク７２ａ，７２ｂを参照しして、血圧評価項目リスト表示欄７１の中から被験者と有効にコミュニケーションを取れる評価項目をより短時間で確実に選択できる。
【００８３】
なお、アイコンマーク７２ａ，７２ｂは、互いに異なる形状をしていたが、これに限らず、互いに色が異なっていることで、識別可能になっていてもよい。
【００８４】
次に、上記医師が表頭部７１ｂ、つまり選択された血圧評価項目７３を選択するものとする（図９のステップＳ２０３でＹＥＳ）。すると、制御部２１０は、表示制御部およびコメント表示制御部として働いて、選択された血圧評価項目７３の血圧評価結果に関する画像データを、表示部２４０の表示画面の一部５２上に表示する（図９のステップＳ２０４）。
【００８５】
この段階で表示部２４０の表示画面の一部５２上に表示される画像は、例えば図１２に示すものである。具体的には、血圧レベルグラフ表示欄８１とコメント表示欄８２とを画像として表示する。
【００８６】
上記血圧レベルグラフ表示欄８１は、上から順に、朝の血圧レベルグラフ表示欄８３、晩の血圧レベルグラフ表示欄８４、および備考欄８５とを有している。
【００８７】
上記朝の血圧レベルグラフ表示欄８３には、今回の診察、前回の診察、前々回の診察、初回の診察における被験者の朝の代表値を、横方向をＤＢＰ（単位：ｍｍＨｇ）、縦方向をＳＢＰ（単位：ｍｍＨｇ）としてプロットしたプロット８３ａ，８３ｂ，８３ｃ，８３ｄが表示されている。
【００８８】
また、上記晩の血圧レベルグラフ表示欄８４には、今回の診察、前回の診察、前々回の診察、初回の診察における被験者の晩の代表値を、横方向をＤＢＰ（単位：ｍｍＨｇ）、縦方向をＳＢＰ（単位：ｍｍＨｇ）としてプロットしたプロット８４ａ，８４ｂ，８４ｃ，８４ｄが表示されている。
【００８９】
また、上記コメント表示欄８２には、初回の診察における代表値８３ｄ，８４ｄからの今回の診察における代表値８３ａ，８４ａの変化値に応じたコメント８２ａ（この例では、「初回からの血圧の変化は朝−４５／−５７ｍｍＨｇ、晩−４５／−５７ｍｍＨｇです」）が表示されている。
【００９０】
このため、上記医師は、表示画面の一部５２上で、上記良否が示された上記血圧評価項目について、上記良否に加えて、上記良否についてのコメント８２ａも参照できる。したがって、上記医師は、被験者と有効にコミュニケーションを取れて、被験者の診察満足度をより上げるとともに、診察時間をより短縮できる。
【００９１】
表示部２４０の表示画面の一部５２に図１２に示す画像が表示された状態で、一定時間（例えば６０秒間）操作が行われなかったとき（図９のステップＳ２０３でＮＯ）は、節電のために、制御部２１０は画像をオフする（図９のステップＳ２０５）。
【００９２】
これにより、上記医師は、表示画面の一部５２で、血圧評価結果が対応して表示された上記血圧評価項目を血圧評価項目リスト表示欄７１により一覧できる。したがって、上記医師は、上記血圧評価項目リスト表示欄７１を参照して、上記血圧評価項目の中から、被験者と有効にコミュニケーションを取れる血圧評価項目を短時間で選択できて、被験者の診察満足度を上げるとともに、診察時間を短縮できる。
【００９３】
なお、サーバ３００の制御部３１０は、画像データを病院端末２００へ送信する代わりに、画像作成のためのデータのみを送信し、病院端末２００の制御部２１０が専ら画像を作成しても良い。
【００９４】
また、この実施形態では、本発明の血圧関連情報表示装置を、病院端末２００と、サーバ３００と、血圧計４００とを含むネットワーク上のシステム１００として構成したが、これに限られるものではない。
【００９５】
例えば、本発明の血圧関連情報表示装置を、血圧計４００と病院端末２００のみで構成しても良い。つまり、病院端末２００の制御部２１０、メモリ２２０、操作部２３０、表示部２４０、通信部２９０が、それぞれそれらの機能に加えて、サーバ３００の制御部３１０、記憶部３２０、操作部３３０、表示部３４０、ネットワーク通信部３９０の機能を果たすものとする。この場合、病院端末２００のメモリ２２０には、制御部２１０に、次のような、被験者の血圧に関連する情報を表示画面に表示する方法を実行させるプログラムをインストールする。これにより、本発明の血圧関連情報表示装置を小型かつコンパクトに構成することができる。
【００９６】
その方法は、大別して、図１３に示すように３つのステップを有する。
【００９７】
図１３の第１ステップＳ３０１では、血圧計４００によって測定された被験者の血圧データを取得する。
【００９８】
第２ステップＳ３０２では、上記被験者の血圧の状態を評価するための予め定められた上記血圧評価項目について、或る期間にわたって日ごとに測定され、上記第１ステップＳ３０１によって取得された上記血圧データに統計処理を施して、血圧評価結果を演算する。この第２ステップＳ３０２は、図５中のステップＳ１０２〜Ｓ１０４に相当する。
【００９９】
第３ステップＳ３０３では、表示画面５２に、上記血圧評価項目を一覧可能に示す血圧評価項目リスト表示欄７１を表示するとともに、表示された上記血圧評価項目リスト中の上記血圧評価項目に対応して演算された上記血圧評価結果の良否を示すアイコンマーク７２ａ，７２ｂを表示する。この第３ステップＳ３０３は、図９中のステップＳ２０２に相当する。
【０１００】
このような方法をコンピュータに実行させる場合、例えば医師は、表示画面の一部５２上で、血圧評価結果が対応して表示された上記血圧評価項目を上記血圧評価項目リスト表示欄７１により一覧できる。したがって、上記医師は、上記血圧評価項目リスト表示欄７１を参照して、上記血圧評価項目の中から、被験者と有効にコミュニケーションを取れる血圧評価項目を短時間で選択できて、被験者の診察満足度を上げるとともに、診察時間を短縮できる。
【０１０１】
このプログラムは、アプリケーションソフトウェアとして、ＣＤ、ＤＶＤ、フラッシュメモリなどの記録媒体に記録することができる。この記録媒体に記録されたアプリケーションソフトウェアを、病院端末、パーソナルコンピュータ、ＰＤＡ（パーソナル・デジタル・アシスタンツ）、スマートフォンなどの実質的なコンピュータ装置にインストールすることによって、それらのコンピュータ装置に、被験者の血圧に関連する情報を表示画面に表示する方法を実行させることができる。
【０１０２】
なお、このような病院端末（サーバ３００の機能を組み込んだもの）に、さらに血圧計４００の測定部４５０を組み込むことにより、本発明の血圧関連情報表示装置を、実質的に病院端末のみで構成しても良い。
【０１０３】
また、サーバ３００の制御部３１０は、画像データを病院端末２００へ送信する代わりに、画像作成のためのデータのみを送信し、病院端末２００の制御部２１０が専ら画像を作成しても良い。
【０１０４】
また、これらの各タイプの病院端末（サーバ３００の機能を組み込んだもの、さらに血圧計４００の測定部４５０を組み込んだもの）に代えて、各タイプの病院端末と同じ構成要素と機能を有するスマートフォン又は携帯電話を用いて、本発明の血圧関連情報表示装置を構成しても良い。
【符号の説明】
【０１０５】
１００  システム
２００  病院端末
２４０  表示部
３００  サーバ
４００  血圧計
【図１】
2013192608.tif 000003
【図２】
2013192608.tif 000004
【図３】
2013192608.tif 000005
【図４】
2013192608.tif 000006
【図５】
2013192608.tif 000007
【図６】
2013192608.tif 000008
【図７Ａ】
2013192608.tif 000009
【図７Ｂ】
2013192608.tif 000010
【図８】
2013192608.tif 000011
【図９】
2013192608.tif 000012
【図１０】
2013192608.tif 000013
【図１１】
2013192608.tif 000014
【図１２】
2013192608.tif 000015
【図１３】
2013192608.tif 000016